(57)【特許請求の範囲】
【請求項１】
出力映像の画角を変更することが可能な映像処理装置であって、
映像データを保存する保存手段と、
前記保存手段に保存された映像データを出力する映像出力制御手段と、
出力映像の画角変更の指示を入力する指示入力手段と、
前記画角変更の指示に従って出力映像の画角を制御する画角制御手段と、を備え、
前記画角制御手段は、映像データに付加された、映像に対する切り出し位置の座標情報を保持する座標情報保持手段を有しており、前記座標情報保持手段から前記座標情報を取得して出力画角を選択し、
前記映像出力制御手段は、前記保存手段に保存された映像データを出力しているときに前記画角制御手段から画角変更の指示を受けた場合、前記出力画角の選択に連動して再生開始時刻を決定し、前記画角変更の指示を受けた再生位置よりも前の再生位置から、画角変更後の映像データを出力することを特徴とする映像処理装置。
【請求項２】
前記映像出力制御手段は、前記保存手段に保存された映像データを出力しているときに前記画角制御手段から画角変更の指示を受けた場合、前記画角変更の指示を受けた再生位置よりも所定時間だけ前の再生位置から、画角変更後の映像データを出力することを特徴とする請求項１に記載の映像処理装置。
【請求項３】
前記映像データに係るシーンの区切り目を示す情報を保持する情報保持手段をさらに備え、
前記映像出力制御手段は、前記保存手段に保存された映像データを出力しているときに前記画角制御手段から画角変更の指示を受けた場合、前記情報保持手段に保持された情報を用いて、前記画角変更の指示を受けた再生位置を含むシーンの先頭から、画角変更後の映像データを出力することを特徴とする請求項１に記載の映像処理装置。
【請求項４】
前記映像データに付加された、前記映像データに係るシーンの開始時刻を示す情報を取得する取得手段を備え、
前記映像出力制御手段は、前記保存手段に保存された映像データを出力しているときに前記画角制御手段から画角変更の指示を受けた場合、前記取得された前記シーンの開始時刻を示す情報を用いて、前記画角変更の指示を受けた再生位置を含むシーンの先頭から、画角変更後の映像データを出力することを特徴とする請求項１に記載の映像処理装置。
【請求項５】
映像データにしたがって映像を表示する表示手段をさらに備え、
前記映像出力制御手段は、画角変更後の映像データを前記表示手段に出力することを特徴とする請求項１から４のいずれか１項に記載の映像処理装置。
【請求項６】
放送信号を介して映像データを受信する受信手段をさらに備え、
前記保存手段は、前記受信手段が受信した映像データを保存し、前記映像出力制御手段は、前記保存手段に保存された映像データを再生して出力することを特徴とする請求項１から５のいずれか１項に記載の映像処理装置。
【請求項７】
出力映像の画角を変更することが可能な映像処理装置で実行される制御方法であって、
映像データを保存手段が保存する保存ステップと、
前記保存ステップで前記保存手段に保存された映像データを映像出力制御手段が出力する映像出力制御ステップと、
出力映像の画角変更の指示を指示入力手段により入力する指示入力ステップと、
前記画角変更の指示に従って出力映像の画角を画角制御手段が制御する画角制御ステップと、を有し、
前記画角制御ステップにて前記画角制御手段は、
映像データに付加された、映像に対する切り出し位置の座標情報を座標情報保持手段に保持する座標情報保持ステップと、
前記座標情報保持ステップで前記座標情報保持手段に保持された前記座標情報を取得して出力画角を選択する選択ステップと、を実行し、
前記映像出力制御ステップにて映像出力制御手段は、前記保存ステップで前記保存手段に保存された映像データを出力しているときに前記画角制御ステップで前記画角変更の指示にしたがって前記出力映像の画角が制御される場合、前記出力画角の選択に連動して再生開始時刻を決定し、前記画角変更の指示を受けた再生位置よりも前の再生位置から、画角変更後の映像データを出力することを特徴とする映像処理装置の制御方法。
【請求項８】
前記映像出力制御ステップにて前記映像出力制御手段は、前記保存ステップで前記保存手段に保存された映像データを出力しているときに前記画角制御ステップで前記画角変更の指示にしたがって前記出力映像の画角が制御される場合、前記画角変更の指示を受けた再生位置よりも所定時間だけ前の再生位置から、画角変更後の映像データを出力することを特徴とする請求項７に記載の映像処理装置の制御方法。
【請求項９】
前記映像データに係るシーンの区切り目を示す情報を情報保持手段が保持する情報保持ステップをさらに有し、
前記映像出力制御ステップにて前記映像出力制御手段は、前記保存ステップで前記保存手段に保存された映像データを出力しているときに前記画角制御ステップで前記画角変更の指示にしたがって前記出力映像の画角が制御される場合、前記情報保持ステップで前記情報保持手段に保持された情報を用いて、前記画角変更の指示を受けた再生位置を含むシーンの先頭から、画角変更後の映像データを出力することを特徴とする請求項７に記載の映像処理装置の制御方法。
【請求項１０】
取得手段により、前記映像データに付加された、前記映像データに係るシーンの開始時刻を示す情報を取得する取得ステップを有し、
前記映像出力制御ステップにて前記映像出力制御手段は、前記保存ステップで前記保存手段に保存された映像データを出力しているときに前記画角制御ステップで前記画角変更の指示にしたがって前記出力映像の画角が制御される場合、前記取得された前記シーンの開始時刻を示す情報を用いて、前記画角変更の指示を受けた再生位置を含むシーンの先頭から、画角変更後の映像データを出力することを特徴とする請求項７に記載の映像処理装置の制御方法。
【請求項１１】
映像データにしたがって映像を表示手段が表示する表示ステップをさらに備え、
前記映像出力制御ステップにて前記映像出力制御手段は、画角変更後の映像データを前記表示手段に出力することを特徴とする請求項７から１０のいずれか１項に記載の映像処理装置の制御方法。
【請求項１２】
放送信号を介して映像データを受信手段が受信する受信ステップをさらに備え、
前記保存ステップにて前記保存手段は、前記受信手段が受信した映像データを保存し、
前記映像出力制御ステップにて前記映像出力制御手段は、前記保存手段に保存された映像データを再生して出力することを特徴とする請求項７から１１のいずれか１項に記載の映像処理装置の制御方法。
【発明の詳細な説明】
【技術分野】
【０００１】
本発明は、映像の画角変更機能を有する映像処理装置およびその制御方法に関する。
【背景技術】
【０００２】
デジタル放送では1920x1080画素のハイビジョン（以下、ＨＤとも記す）映像が一般的となっている。また、高度衛星デジタル放送では、さらに高解像度の映像や22.2chのマルチチャンネル音声を送る方式が検討されている。例えば、デジタルシネマの映像サイズは4k x 2k画素であり、スーパーハイビジョン（以下、ＳＨＶとも記す）の映像サイズは8k
x 4k画素である。従来よりも高解像度の映像の放送システムにて、受信装置の能力や機能に応じた表示を行うことも併せて検討されている。例えば、ＳＨＶ放送を、既に普及しているＨＤ受信装置で視聴するニーズが考えられる。
【０００３】
この場合の視聴形態には、元映像全体を縮小して表示した映像を視聴する形態（以下、ダウンコンバート視聴という）と、元映像の一部を受信装置側で切り出して表示した映像を視聴する形態（以下、トリミング視聴という）が挙げられる。
ダウンコンバート視聴では、ユーザは映像全体を視ることができるが、縮小により解像度が落ちた表示となるために精細感がなく、迫力ある映像効果を享受できない。一方、トリミング視聴では解像度が元映像のままであるため、精細感は損なわれないが、切り出し領域以外の映像が表示されないため、ユーザは映像全体を把握できない。どちらの形態を選択すべきかについては、ユーザの嗜好、コンテンツの種類、視聴中のシーン内容などに依る。
【０００４】
トリミング視聴時に、受信装置側でユーザが元映像から画像を切り出す位置やサイズを指定し、指定領域を拡大する技術が知られている（特許文献１参照）。また、切り出し位置やサイズなどを放送局から指定することも想定される。番組付加情報をメタデータとし、ＰＳＩ／ＳＩデータ内に各種テーブルとして埋め込み、放送局から送出することは、デジタル放送の規格上可能である。画像の切り出し位置やサイズなどの、放送局指定の画角情報をテーブル情報として埋め込んで送出し、該情報を受信装置で取り出すことが考えられる。メタデータを用いた番組付加情報の送出方法を用いれば、放送局から受信装置へ画角情報を送出可能である。
【先行技術文献】
【特許文献】
【０００５】
【特許文献１】特開２００８−５４２８号公報
【発明の概要】
【発明が解決しようとする課題】
【０００６】
上記のようにダウンコンバート視聴とトリミング視聴には一長一短があるため、ユーザが同一コンテンツの視聴中にこれらの視聴形態を任意に選択し、画角を適宜に変更しながら視聴することが想定される。この場合、視聴中の映像は時々刻々と変化し、それに伴いユーザが視聴を望む映像の画角も変化していく。よって、ユーザは視聴中、映像に応じて画角変更操作を行うことになるが、ユーザが意図する画角に切り替える操作や受信装置の動作が追随できないと、所望の画角でのシーンを見逃してしまう可能性がある。見逃しを防止するには、一時停止や巻き戻しなどにより、ユーザが所望の再生開始時刻を設定して再生を再開させる必要がある。しかし、シーン及び画角の切り替えに応じて、ユーザがその都度再生時刻を指定しながら視聴するのでは操作が煩雑になる。つまり、画角切り替えと再生時刻の操作が煩雑になると視聴環境が損なわれてしまうという課題があった。
そこで本発明は、画角変更の際にユーザが煩雑な操作を必要とせずに映像を再生することで快適な視聴環境を提供することを目的とする。
【課題を解決するための手段】
【０００７】
本発明の一実施形態の映像処理装置は、出力映像の画角を変更することが可能な映像処理装置であって、映像データを保存する保存手段と、前記保存手段に保存された映像データを出力する映像出力制御手段と、出力映像の画角変更の指示を入力する指示入力手段と、前記画角変更の指示に従って出力映像の画角を制御する画角制御手段と、を備える。前記画角制御手段は、映像データに付加された、映像に対する切り出し位置の座標情報を保持する座標情報保持手段を有しており、前記座標情報保持手段から前記座標情報を取得して出力画角を選択し、前記映像出力制御手段は、前記保存手段に保存された映像データを出力しているときに前記画角制御手段から画角変更の指示を受けた場合、前記出力画角の選択に連動して再生開始時刻を決定し、前記画角変更の指示を受けた再生位置よりも前の再生位置から、画角変更後の映像データを出力する。
【発明の効果】
【０００８】
本発明によれば、画角変更の際にユーザが煩雑な操作を必要とせずに映像を再生することで快適な視聴環境を提供できる。
【図面の簡単な説明】
【０００９】
【図１】本発明に係るデジタル放送受信装置の構成例を示すブロック図である。
【図２】ＳＨＶ映像例を（Ａ）に、ダウンコンバート視聴時の映像例を（Ｂ）に、トリミング視聴時の映像例を（Ｃ）に示す図である。
【図３】ダウンコンバート視聴時の映像遷移を（Ａ）に例示し、トリミング視聴時の映像遷移を（Ｂ）に例示する図である。
【図４】本発明の第１実施形態に係る画角変更と映像の遷移例を示す概念図である。
【図５】本発明の第１実施形態に係る画角変更に連動した再生制御例を説明するフローチャートである。
【図６】本発明の第２実施形態に係る画角変更と映像の遷移例を示す概念図である。
【図７】本発明の第２実施形態に係る画角変更に連動した再生制御例を説明するフローチャートである。
【図８】本発明の第３実施形態に係る画角変更と映像の遷移例を示す概念図である。
【図９】本発明の第３実施形態に係る画角変更に連動した再生制御例を説明するフローチャートである。
【発明を実施するための形態】
【００１０】
以下、本発明の各実施形態について図面を参照して説明する。
図１は、本発明の一実施形態に係る映像処理装置の適用例としてデジタル放送受信装置の構成を示すブロック図である。デジタル放送受信装置は入力映像の画角変更機能をもち、ユーザの画角変更指示に応じた画角で映像を表示する。
【００１１】
デジタル放送信号はアンテナ１０１に入力され、装置内で処理された映像信号と音声信号はモニタ１１３とスピーカ１１９にそれぞれ出力される。ユーザはモニタ１１３の表示映像やスピーカ１１９の出力音声により、デジタル放送コンテンツを視聴する。本例に示すモニタ１１３はＨＤ解像度の映像表示能力をもつ。
【００１２】
受信部１０２はデジタル放送波の選局、復調、誤り訂正処理を行い、ＭＰＥＧ２−ＴＳデータを得る。ＭＰＥＧ２規格の正式名称は“Generic coding of moving pictures and associated audio information”であり、ＴＳは“Transport Stream”の略号である。ＭＰＥＧ２−ＴＳデータは多重化されており、信号分離部１０３は、ユーザが選局操作を行った番組のパケットＩＤに従って、映像および音声データとメタデータを分離する。映像および音声データはデコード部１０４に送られ、ここでデスクランブル処理と、ＭＰＥＧ２またはＨ．２６４圧縮データの復号が行われ、視聴可能な映像および音声データとなる。なお、Ｈ．２６４は、２００３年５月に国際電気通信連合によって勧告された、動画データの圧縮符号化方式の標準の一つである。
【００１３】
デコード部１０４の出力する映像データは、視聴映像データバス１２４を通して映像表示制御部１１２に送られた後、モニタ１１３で映像が表示される。信号分離部１０３が分離したメタデータは、電子番組表などの番組情報や、元映像に対する切り出し位置の座標情報（以下、トリミング情報という）を含む。信号分離部１０３で抽出されたトリミング情報は、画角情報保持部１０６が保持し、画角の選択や決定時に使用される。
【００１４】
画角制御部１０５は、ユーザ操作指示に従い、ＳＨＶ放送の表示方法と出力画角を決定する。出力画角とは出力映像の画角であり、元映像に対して処理後の映像出力範囲を意味する。ユーザ操作指示はリモートコントローラ（以下、リモコンという）１２１からリモコン及びキー入力部１１７に送信され、入力制御部１１６を介してシステム制御部１１８に送られる。ユーザはリモコン１２１を使って画角変更操作や画角指定操作などを行う。システム制御部１１８は制御バス１２０を介して、ユーザ操作指示の内容に応じた画角制御情報を画角選択部１０７に送る。画角選択部１０７はダウンコンバート視聴またはトリミング視聴の選択判定を行う。トリミング視聴が選択された場合、画角情報保持部１０６に保持されたトリミング情報が使用される。またダウンコンバート視聴が選択された場合、ＳＨＶ画像を受信装置の画面サイズに応じて縮小する際の縮小率が使用される。これらの画角制御情報は、画角選択部１０７から画角決定部１０８に送られ、画角決定部１０８は出力画角を決定する。
【００１５】
システム制御部１１８は、ＣＰＵ（中央演算処理装置）や、制御プログラムを記憶した不揮発性メモリ、ＲＡＭ（Random Access Memory）などの揮発性メモリを用いて構成される。システム制御部１１８は制御プログラムを実行することで、主にソフトウェアによって行われる制御に従って各種の処理を行う。制御バス１２０は、各種データやコマンドの送受信に使用され、各種機能の連動および制御を実現するバスである。各処理部や制御部は制御バス１２０を介して相互に接続され、システム制御部１１８により制御される。
【００１６】
映像保存処理部１１５は、録画時のデータ処理や、タイムシフト再生時の映像の一時保存処理を行う。映像データはデコード部１０４から録画映像データバス１２２を通り、映像保存処理部１１５を介して映像データ保存部１１４に保存される。映像保存処理部１１５は録画データの再生制御も担っており、タイムシフト再生時に映像データを映像データ保存部１１４から読み出し、再生映像データバス１２３を介してデコード部１０４へ送る。
【００１７】
映像出力制御部１０９は、映像再生時の時間制御と、トリミング情報に基づいた出力画角の制御を行う。再生開始時刻決定部１１０は、画角選択部１０７からの画角切り替え情報に応じて再生開始時刻を決定する。決定した再生開始時刻情報は再生時刻制御部１１１に送られ、該制御部はコンテンツの再生制御を行う。再生時刻制御部１１１の再生制御情報は制御バス１２０を介して映像保存処理部１１５に送られる。映像保存処理部１１５は再生制御情報に従って、映像データ保存部１１４内にある再生対象の映像データ、再生開始時刻などを映像データ保存部１１４に指定する。映像データ保存部１１４は指定された時刻の映像データを出力する。この映像データは、再生映像データバス１２３を通ってデコード部１０４に送られ、さらに映像表示制御部１１２に送られる。映像表示制御部１１２は、画角決定部１０８が決定した画角情報を受けて、映像データの表示画角制御を行う。具体的には、映像表示制御部１１２は視聴映像データバス１２４からの入力映像データに対して、ダウンコンバート処理や切り出し処理を行って映像信号を生成してモニタ１１３に出力する。
【００１８】
次に、本実施形態に係る映像処理について、図２に示す映像コンテンツ例を用いて説明する。図２（Ａ）はＳＨＶ映像２０１と、その一部を切り出した映像（ＨＤ切り出し映像）２０２を例示する。ＳＨＶ映像２０１のサイズは7680x4320画素であり、その一部である1920x1080画素のＨＤ映像を切り出して表示する場合を想定する。切り出し処理には、ＳＨＶ映像上の座標、サイズなどのトリミング情報が必要となる。このトリミング情報によって指定される映像部分を、ＨＤ切り出し映像２０２として破線枠で示す。なお、トリミング情報は、切り出し位置の開始座標情報（Ｘ１，Ｙ１）と終了座標情報（Ｘ２，Ｙ２）を含む。
【００１９】
放送局がトリミング情報を送出して受信装置が取得する放送形態の場合、トリミング情報はメタデータとして送出可能である。メタデータのような付加情報はＰＳＩ／ＳＩ（Program Specific Information/Service Information）データ内に各種テーブル情報として埋め込まれる。番組名、放送時刻、番組説明などの番組に関する情報を送るＥＩＴ（Event Information Table）には、拡張形式イベント記述子が挿入できる。この拡張形式イベント記述子はテーブルとして各種データを設定できる構造をもち、放送局はここにトリミング情報を埋め込んで放送波として送出する。放送局はコンテンツを送出する際、トリミング情報を含むメタデータをＥＩＴに多重化して送出する。受信装置は多重化されたメタデータを受信し、ＥＩＴの拡張形式イベント記述子からトリミング情報を抽出する。抽出したトリミング情報を用いて、図２（Ａ）に示すＨＤ切り出し映像２０２が決定される。
【００２０】
図２（Ｂ）は、ダウンコンバート視聴時に図２（Ａ）のＳＨＶ映像２０１をＨＤ受信装置に縮小表示させたモニタ画面３０１の例である。表示範囲は図２（Ａ）のＳＨＶ映像２０１と同一であるが、ＳＨＶ映像２０１よりも縮小されて画面表示され、本例では解像度が元映像の約１／４となる。図２（Ｃ）は、トリミング視聴時に図２（Ａ）のＨＤ切り出し映像２０２をＨＤ受信装置に表示させたモニタ画面４０１の例である。解像度は元映像であるＳＨＶ映像２０１と同一であるが、表示範囲は放送局が指定したトリミング情報に従う。
【００２１】
図２（Ｂ）および（Ｃ）に示す映像は動画であり、その様子を概念図として、図３（Ａ）および（Ｂ）に示す。図３（Ａ）はダウンコンバート視聴時の映像変化を示す。時間軸の向きは右方であり、１０秒毎の映像５０１乃至５０４を例示する。左端に示す映像５０１の時刻を基点として、１０秒後の映像５０２、２０秒後の映像５０３、３０秒後の映像５０４を例示する。図３（Ｂ）は、図３（Ａ）と同じコンテンツのトリミング視聴時の映像変化を示す。図３（Ａ）と同様、１０秒毎の映像の変化を左から映像６０１乃至６０４に例示する。時間軸に示す時刻０乃至３０秒は、コンテンツ内での時刻を表し、図３（Ａ）の時刻と対応している。図３（Ａ）ではユーザが映像全体を把握できるが精細感のない映像となり、図３（Ｂ）では解像度が元映像の場合と同じであるが映像全体をユーザは把握できない。したがって、ユーザは図３（Ａ）と図３（Ｂ）に示す視聴形態を切り替えるために画角指定操作を行うことになる。
【００２２】
図４は映像再生時間と画角の変化を示した概念図であり、上段に表示シーンの推移を示し、中段にコンテンツ内での時刻を示し、下段に視聴時刻を示す。時間軸の向きは右方であり、時刻２０秒でユーザが画角切り替え操作を行った例を示す。まずダウンコンバート視聴にて、ユーザは映像５０１乃至５０３を視る。そして、トリミング視聴に切り替えるためにユーザは画角切り替え操作を行う。受信装置は、ユーザによる画角切り替え操作を検出すると、画角制御部１０５にて画角を選択して決定する。その際、再生開始時刻決定部１１０は画角切り替え操作の検出時点から所定時間、例えば１０秒前の時刻を再生開始時刻に設定する。すなわち、自動で１０秒前の映像に戻してトリミング視聴に切り替える処理が行われる。そして、ユーザは映像６０２乃至６０４を視る。なお、上記の例では映像処理を主に説明したが、音声処理についても同様であるので、その説明は省略する。
【００２３】
［第１実施形態］
次に本発明の第１実施形態に係る受信装置の動作について、図５のフローチャートを用いて説明する。ユーザが最初にダウンコンバート視聴を行っている場合を想定する。この時、画角制御部１０５の画角決定部１０８はダウンコンバート視聴用の制御信号を映像表示制御部１１２に送信する。映像表示制御部１１２はＳＨＶサイズの映像をＨＤサイズに縮小する制御を行い、ダウンコンバート後の映像を出力している。具体的には、視聴映像データバス１２４からの映像データの画素を一部間引くことにより、元映像全体の概観を保ちつつ解像度を落とすことで縮小映像データが生成される。
【００２４】
コンテンツの視聴が開始すると、タイムシフト再生に備えてＳ８０１にて映像データが保存される。デコード部１０４はＳＨＶサイズの映像をデコードし、ＳＨＶサイズの映像データは録画映像データバス１２２と映像保存処理部１１５を介して、映像データ保存部１１４に蓄積される。Ｓ８０２で信号分離部１０３は放送波に多重化されたトリミング情報を抽出し、該情報を画角情報保持部１０６が保持する。Ｓ８０３でシステム制御部１１８はユーザによる画角切り替え操作が行われたか否かを判定する。画角切り替え操作が行われた場合、Ｓ８０４に進む。また画角切り替え操作が行われなかった場合にはＳ８０８に進み、映像が出力されて処理が終了する。
【００２５】
Ｓ８０３におけるユーザからの画角切り替え操作については、具体的にはユーザがリモコン１２１の画角切り替え指示用のスイッチを押すなどして、受信装置に指示される。ダウンコンバート視聴からトリミング視聴への画角切り替え操作が検出されると、画角選択部１０７は画角選択制御を行う。画角選択は、画角情報保持部１０６に保持されたトリミング情報の中から、該当する映像フレームのトリミング情報を読み出すことで行われる。この画角選択に連動して、再生開始時刻を決定する処理に進む。Ｓ８０４では現在視聴中のコンテンツについて再生時刻の取得処理が行われる。再生開始時刻決定部１１０は画角切り替え操作が検出された時点におけるコンテンツの再生時刻を取得する。次にＳ８０５で再生開始時刻決定部１１０は、Ｓ８０４で取得した再生時刻から所定時間、例えば１０秒を減ずる。つまり、次に再生を開始する時刻が、画角切り替え操作の検出時の再生時刻よりも１０秒前の時点に設定される。
【００２６】
画角選択と再生開始時刻の設定が完了すると、Ｓ８０６において画角切り替え処理が実行される。この処理では、画角決定部１０８が画角選択部１０７から読み出したトリミング情報を用いて、元のＳＨＶ映像中で放送局から指定されたＨＤ映像部分を決定する。画角決定部１０８はトリミング視聴に係る制御信号を映像表示制御部１１２に送信する。次のＳ８０７でタイムシフト再生が開始する。映像保存処理部１１５は再生開始時刻決定部１１０により設定された再生開始時刻から映像再生を開始させる。この時、リアルタイム視聴とは異なり、実際の時間から過去に遡った映像をユーザが視ることになり、映像データ保存部１１４に保持しておいた映像データを再生して出力するタイムシフト再生となる。タイムシフト再生時の制御を説明すると、まず再生時刻制御部１１１は映像保存処理部１１５に再生開始時刻情報を送信する。映像保存処理部１１５は再生開始時刻情報に従って、映像データ保存部１１４内に保持された映像データの再生を開始する。映像データ保存部１１４から読み出された映像データは再生映像データバス１２３を通って、デコード部１０４に送られる。これに合わせて再生時刻制御部１１１は、リアルタイム視聴からタイムシフト再生に切り替える制御信号をデコード部１０４に送出する。デコード部１０４は、映像データを再生映像データバス１２３から視聴映像データバス１２４に出力するパスに切り替えて再生映像データを映像表示制御部１１２に送り、過去の時刻に遡って映像を再生する。なお、この時に受信した放送波に対応する映像データは、録画映像データバス１２２から映像保存処理部１１５を介して映像データ保存部１１４に記憶されることで、再生と並行して記録が行われる。これにより一定時間だけ過去の時点に遡った映像を再現するタイムシフト再生が実現される。
【００２７】
Ｓ８０７からＳ８０８に進んだ場合、ユーザはトリミング視聴を行う。この映像信号の生成は映像表示制御部１１２が行う。具体的には、映像表示制御部１１２はトリミング情報に従って、入力映像信号のうちで切り出し開始座標から切り出し終了座標までの範囲に亘る映像信号のみを出力することでＨＤサイズの映像信号を生成する。ＨＤ切り出し映像の信号はモニタ１１３に出力される。
【００２８】
第１実施形態では、ユーザによる画角変更操作に従って再生時刻の制御を受信装置が自動で行うので、ユーザは煩雑な操作が不要となる。よって、ユーザが表示映像の画角を切り替えながら視聴する形態において利便性が向上する。
なお、前記の例では戻し時間を１０秒に設定したが、ユーザ操作指示による初期設定が可能な構成とし、戻し時間を任意に設定できるようにしてもよい。この場合、ユーザは、例えばリモコン１２１を用いて戻し時間の設定機能を呼び出し、設定画面を表示させて戻し時間を所望の値に設定する。つまり、図１にて戻し時間設定値保持部を設けることで、ユーザ操作指示に従って戻し時間の設定値を保持できる。ユーザ操作指示に従って所望の戻し時間を設定している場合、図５のＳ８０５で再生開始時刻決定部１１０は、戻し時間の設定値を戻し時間設定値保持部から取得する。画角変更操作の検出時刻から、保持された戻し時間の設定値を減じることで再生開始時刻が決定される。これにより画角変更時に、所望の設定時間分だけ遡った映像から視聴が再開する。
また、本実施形態ではダウンコンバート視聴からトリミング視聴への画角変更時の動作例を説明したが、逆の場合、すなわちトリミング視聴からダウンコンバート視聴の場合も前記と同様の処理を適用すればよい。
【００２９】
［第２実施形態］
次に、本発明に係る第２実施形態を説明する。第１実施形態ではトリミング視聴時の画角設定が、放送局からの指定情報を用いて行われる。これに対して第２実施形態では、ユーザがトリミングの位置やサイズを指定してトリミング視聴を行うことができる。トリミングの画角設定時にユーザが視聴を一時停止して、映像を見ながら画角を決定できる機能を装置にもたせると有用である。画角決定後に、ユーザ指定の画角にて視聴を開始する場合においても、画角切り替え時にシーンの見逃しを防止するため、一定時間だけ過去に遡った映像から再生が行われる。なお、第２実施形態に係る装置の基本構成は図１に示す構成と同様であるため、各構成要素に使用した符号を用いることにより、それらの詳細な説明を省略し、以下では相違点を説明する。
【００３０】
図６は、第２実施形態における映像再生時間と画角の変化を示した概念図である。図４との相違点は、視聴時間軸上の時刻３０秒にてユーザ指定の画角設定が行われることである。ユーザは映像５０１乃至５０３をダウンコンバート視聴し、時刻２０秒で画角切り替え操作を行う。この画角切り替え操作が検出された時点で映像が一時停止し、映像の戻し処理が行われる。視聴時間軸上の時刻３０秒でユーザが画角を指定すると、画角決定後に、画角切り替え操作の発生時刻よりも１０秒前の映像からトリミング視聴が再開する。ユーザは指定した画角で映像６０２、６０３を視る。
【００３１】
以下、図７のフローチャートを用いて、第２実施形態に係る受信装置の動作を説明する。図５との相違点は、Ｓ８０２に続くＳ１００３乃至１００５であり、これらの処理を説明する。
【００３２】
Ｓ１００３でシステム制御部１１８は、ユーザ指定の画角切り替え操作が行われたか否かを判定する。該操作が行われた場合、Ｓ１００４に進み、該操作が行われない場合、Ｓ８０７に進む。Ｓ１００４にてシステム制御部１１８は映像再生を一時停止させる。このとき再生開始時刻決定部１１０は、視聴中のコンテンツについて画角切り替え操作が行われたときの時刻を保持する。続いて、Ｓ１００５にてユーザは画角指定操作を行う。該操作は一時停止中の画面上でトリミングのサイズ、位置をユーザが指定することによって行われる。具体的には、一時停止中の画面上にトリミング位置を指定するためのカーソルが表示されるので、ユーザは所望のトリミング開始位置（Ｘ１，Ｙ１）とトリミング終了位置（Ｘ２，Ｙ２）へ順にカーソルを移動させて、決定ボタンを押すことにより指定する。画角指定後、ユーザが画角決定ボタンを押すなどして、ユーザ指定画角が確定する。画角選択部１０７がこれらの処理を担当し、決定したトリミング情報は画角選択部１０７内に保持される。そしてＳ８０５に進み、以降、第１実施形態と同様に、画角変更処理とタイムシフト再生が行われる。画角変更時のトリミング情報にはＳ１００５で設定した座標値を用いる。タイムシフト再生の開始時刻は、画角切り替え操作を開始した時刻の１０秒前からとなり、図６に示すように映像６０２から再生が開始する。
【００３３】
第２実施形態によれば、トリミング情報をユーザが指定する場合であっても、ユーザは簡単な操作で画角変更前の映像から所望の画角で視聴できる。
【００３４】
［第３実施形態］
次に本発明の第３実施形態を説明する。前記の実施形態では、画角変更操作の検出時点から所定時間だけ遡った時点の映像まで戻して再生を開始する例を示した。これに対して、第３実施形態では画角変更時に、視聴中のシーンの先頭まで自動的に戻って再生を開始させる。シーン先頭時刻を示す情報については、放送局がメタデータに番組情報とともにチャプタ情報（各シーンの開始時刻と終了時刻）を含めて送出する。受信装置は受信したメタデータからシーン開始時刻の情報を取得する。あるいは受信装置がシーンの切れ目を検出する検出部と、シーン開始時刻を映像から判断してシーン開始時刻の情報を自動で生成する情報生成部を有する構成でもよい。
【００３５】
図８は、第３実施形態における映像再生時間と画角の変化を示した概念図である。図４との相違点は、コンテンツ時間軸上の時刻２０秒で画角切り替え操作が行われると、シーン開始時刻が先頭時刻（０秒）に戻って再生が開始することである。つまり、ユーザは映像５０１乃至５０３をダウンコンバート視聴した時点で画角切り替え操作を行う。シーンの区切り目に相当するコンテンツの時刻は映像６０１の時刻であり、この時刻情報はメタデータとして放送局から送出されて受信装置が抽出し、図１に示すチャプタ情報保持部１１０ａが保持している。画角切り替え操作が検出されると、視聴中のコンテンツに係るシーン先頭の映像６０１まで戻って画角切り替え動作が行われ、トリミング視聴に移行する。
【００３６】
以下、図９のフローチャートを用いて第３実施形態に係る受信装置の動作を説明する。図５との相違点は、Ｓ８０１に続くＳ１２０２、Ｓ８０３に続くＳ１２０４及びＳ１２０５、Ｓ８０６に続くＳ１２０７であり、よってこれらの処理を説明する。
Ｓ１２０２にて、信号分離部１０３は放送波に多重化されたメタデータを抽出する。その際、トリミング情報とともに、シーンの区切り目を示すチャプタ情報も併せて抽出される。再生開始時刻決定部１１０内のチャプタ情報保持部１１０ａは、抽出されたチャプタ情報を保持する。Ｓ８０３にて、ユーザによる画角切り替え操作が行われた場合、Ｓ１２０４に進み、再生開始時刻決定部１１０は再生開始時刻を決定する。Ｓ１２０２で保持しておいたチャプタ情報と画角切り替え操作が検出されたときの時刻から、現在のシーンの先頭時刻が取得される。続いてＳ１２０５にて再生開始時刻がシーンの先頭時刻に設定される。そしてＳ８０６に進み、以降、第１実施形態と同様に画角切り替えが行われ、Ｓ１２０７で再生が開始してＳ８０８に進む。再生開始時刻は、ユーザが画角切り替え操作を行ったシーンの先頭時刻となり、図８で示すように映像６０１から再生が開始する。
【００３７】
第３実施形態によれば、画角変更操作が検出された際、シーンの先頭に自動で戻って再生が行われるので、ユーザは煩雑な操作を行わずとも、所望の画角でシーン先頭から映像を見逃すことなく視聴できる。
【符号の説明】
【００３８】
１０５    画角制御部
１０９    映像出力制御部
１１０ａ  チャプタ情報保持部
１１４    映像データ保存部
１１５    映像保存処理部
１１６    入力制御部
１１７    リモコン及びキー入力部
１１８    システム制御部
１２１    リモコン
【図１】
0005693109.tif 000002
【図２】
0005693109.tif 000003
【図３】
0005693109.tif 000004
【図４】
0005693109.tif 000005
【図５】
0005693109.tif 000006
【図６】
0005693109.tif 000007
【図７】
0005693109.tif 000008
【図８】
0005693109.tif 000009
【図９】
0005693109.tif 000010